(57)【要約】【課題】モバイル電子機器の表示部を覆うカバーの開閉をコンパクトにかつ素早くできるモバイル電子機器用ケースを提供する。【解決手段】モバイル電子機器１０を保持するホルダー部２０と、表示面１０ｄを覆うカバー４２を含むカバー部４０とを備える。ホルダー部２０において、表示面１０ｄと直交しかつ表示面１０ｄから離れる方向をｚ１軸とし、表示面１０ｄの一辺に平行な方向をｙ１軸としたｘ１ｙ１ｚ１直交座標系をとり、カバー部４０において、ｘ１軸と一致する方向をｘ２軸とし、カバー４２と直交しかつカバー４２の内面から離れる方向をｚ２軸としたｘ２ｙ２ｚ２直交座標系をとったとき、表示面１０ｄがカバー４２に覆われている状態において、ｚ１軸は−ｚ２軸と一致する。ホルダー部２０は、ｘ１軸方向の回転軸２２ｒを規定する凸部２２を有し、カバー部４０は、ｙ２軸方向に伸びる間隙を画定し、かつ、凸部２２を受容するトラック４４を有する。【選択図】図１
2016181662.tif 000002
【特許請求の範囲】
【請求項１】
モバイル電子機器を保持するホルダー部と、モバイル電子機器の表示面を覆うシート状のカバーを含むカバー部とを備えるモバイル電子機器用ケースであって、
前記ホルダー部において、前記ホルダー部に保持されるモバイル電子機器の前記表示面と直交しかつ前記表示面から離れる方向をｚ１軸とし、前記ｚ１軸と直交かつ前記表示面の一辺に平行な方向をｙ１軸とし、前記ｙ１軸および前記ｚ１軸に直交する方向をｘ１軸としたｘ１ｙ１ｚ１直交座標系をとり、前記カバー部において、前記ｘ１軸と一致する方向をｘ２軸とし、前記ｘ２軸および前記カバーと直交しかつ前記カバーの内面から離れる方向をｚ２軸とし、前記ｘ２軸および前記ｚ２軸に直交する方向をｙ２軸としたｘ２ｙ２ｚ２直交座標系をとったとき、
前記表示面が前記カバーに覆われている第１の状態において、ｚ１軸は−ｚ２軸と一致し、
前記ホルダー部は、ｙ１‐ｚ１面に平行に設けられた一対の側面部材と、前記一対の側面部材のそれぞれに設けられ、ｘ１軸方向の回転軸を規定する凸部とを有し、
前記カバー部は、ｙ２‐ｚ２面に平行に設けられた一対の横枠部材と、前記一対の横枠部材のそれぞれに設けられ、ｙ２軸方向に伸びる間隙を画定し、かつ、前記凸部を受容するトラックとを有する、モバイル電子機器用ケース。
【請求項２】
前記表示面と反対側の背面が前記カバーに覆われている第２の状態において、ｚ１軸はｚ２軸と一致する、請求項１に記載のモバイル電子機器用ケース。
【請求項３】
前記一対の側面部材のそれぞれのｙ１‐ｚ１面内において、ｙ１座標が、前記回転軸と、前記ホルダー部のｙ１軸方向における端および−ｙ１軸方向における端のうち前記回転軸から近い一の端との間である点は、前記回転軸からの距離が、前記ホルダー部のｚ１軸方向における長さの半分以下である、請求項１または２に記載のモバイル電子機器用ケース。
【請求項４】
前記カバー上に設けられた太陽電池モジュールであって、前記第１の状態と、前記第２の状態とのそれぞれにおいて露出される太陽電池モジュールをさらに有する、請求項２または請求項２を引用する請求項３に記載のモバイル電子機器用ケース。
【請求項５】
前記カバー部に設けられ、前記太陽電池モジュールと電気的に接続された第１の端子部と、
前記ホルダー部に設けられ、前記ホルダー部に保持されたモバイル電子機器と電気的に接続される第２の端子部および第３の端子部であって、前記第１の状態において前記第１の端子部と電気的に接続される第２の端子部および前記第２の状態において前記第１の端子部と電気的に接続される第３の端子部とをさらに有する、請求項４に記載のモバイル電子機器用ケース。
【発明の詳細な説明】
【技術分野】
【０００１】
本発明は、ケースに関し、特に、モバイル電子機器用ケースに関する。なお、本明細書において、モバイル電子機器は、例えば携帯電話、スマートフォン、タブレットＰＣ、携帯ゲーム機、音楽プレイヤー、電子書籍端末、電子辞書、電子ノート等を含む。
【背景技術】
【０００２】
モバイル電子機器が普及するにつれて、モバイル電子機器用の様々なケースやカバーが開発されている。モバイル電子機器用ケース（またはカバー）は、例えば、モバイル電子機器を衝撃から保護することやモバイル電子機器の表示部および／または本体に傷がつくことを防ぐことを目的としている。最近では、モバイル電子機器を衝撃や傷から保護するだけでなく、他の機能（例えば、モバイル電子機器を充電する機能）も備えたケースまたはカバーも市販されている。
【０００３】
特許文献１は、ケース部およびケースカバー部を有するスマートフォン用多機能収容ケースを開示している。スマートフォンを使用しない場合には、ケース部に収容されたスマートフォンのディスプレイ操作面は、ケースカバー部によって覆われていることにより保護される。一方、スマートフォンを使用する場合には、ディスプレイ操作面の反対側の背面がケースカバー部で覆われ、ディスプレイ操作面は露出される。これらの２つの状態は、ケースカバー部をケース部に対してスライドおよび回転させることにより、切り替えられる。
【０００４】
また、太陽電池素子を有するノートブック型（手帳型と呼ばれることもある）の電子書籍端末用ケースが市販されている。この電子書籍端末用ケースは、ノートブックの表紙にあたる部分に太陽電池素子を有する。電子書籍端末はノートブック型のケースの内側に装着され、太陽電池素子によって充電される。電子書籍端末を使用する時はノートブック型のケースを開けて電子書籍端末の表示面を露出し、電子書籍端末を使用しない時は、ノートブック型のケースを閉じ、ノートブックの表紙にあたる部分で表示面を覆うことで表示面を保護する。
【先行技術文献】
【特許文献】
【０００５】
【特許文献１】実用新案登録第３１７６９６０号公報
【発明の概要】
【発明が解決しようとする課題】
【０００６】
本願発明者の検討によると、特許文献１のスマートフォン用多機能収容ケースには、スマートフォンの表示部を覆うカバーの開閉に必要なスペースが大きいという問題（問題１）がある。問題１の詳細については後述する。特許文献１のスマートフォン用多機能収容ケースは、上記問題１を有するので、例えば混雑した乗り物内や人混みの中での使用に不適である。
【０００７】
また、本願発明者の検討によると、上述した太陽電池素子を有するノートブック型の電子書籍端末用ケースには、電子書籍端末を使用している間は電子書籍端末を充電することが難しいという問題（問題２）がある。電子書籍端末を使用する場合、例えば持ち易さ（握り易さ）のために、ノートブック型のケースの裏表紙と表紙とを重ね合わせることが多い。あるいは、混雑した乗り物内や人混みの中で使用する場合等、電子書籍端末がコンパクトであることが好ましい場合にも、ノートブック型のケースの裏表紙と表紙とを重ね合わせて使用し得る。このような場合、表紙部分に設けられた太陽電池素子に太陽光や照明光が入射し難いので、電子書籍端末を充電することが困難である。
【０００８】
本発明は、少なくとも上記問題１を解決するためになされたものであり、モバイル電子機器の表示部を覆うカバーの開閉をコンパクトにかつ素早くできるモバイル電子機器用ケースを提供することを目的とする。
【課題を解決するための手段】
【０００９】
本発明の実施形態によるモバイル電子機器用ケースは、モバイル電子機器を保持するホルダー部と、モバイル電子機器の表示面を覆うシート状のカバーを含むカバー部とを備えるモバイル電子機器用ケースであって、前記ホルダー部において、前記ホルダー部に保持されるモバイル電子機器の前記表示面と直交しかつ前記表示面から離れる方向をｚ１軸とし、前記ｚ１軸と直交かつ前記表示面の一辺に平行な方向をｙ１軸とし、前記ｙ１軸および前記ｚ１軸に直交する方向をｘ１軸としたｘ１ｙ１ｚ１直交座標系をとり、前記カバー部において、前記ｘ１軸と一致する方向をｘ２軸とし、前記ｘ２軸および前記カバーと直交しかつ前記カバーの内面から離れる方向をｚ２軸とし、前記ｘ２軸および前記ｚ２軸に直交する方向をｙ２軸としたｘ２ｙ２ｚ２直交座標系をとったとき、前記表示面が前記カバーに覆われている第１の状態において、ｚ１軸は−ｚ２軸と一致し、前記ホルダー部は、ｙ１‐ｚ１面に平行に設けられた一対の側面部材と、前記一対の側面部材のそれぞれに設けられ、ｘ１軸方向の回転軸を規定する凸部とを有し、前記カバー部は、ｙ２‐ｚ２面に平行に設けられた一対の横枠部材と、前記一対の横枠部材のそれぞれに設けられ、ｙ２軸方向に伸びる間隙を画定し、かつ、前記凸部を受容するトラックとを有する。
【００１０】
ある実施形態において、前記表示面と反対側の背面が前記カバーに覆われている第２の状態において、ｚ１軸はｚ２軸と一致する。
【００１１】
ある実施形態において、前記カバー部は、凹状の溝である前記トラックを有し、前記間隙はｘ２軸方向に貫通しない。
【００１２】
ある実施形態において、前記一対の横枠部材は略楕円形状のレールを含み、前記間隙はｘ２軸方向に貫通している。
【００１３】
ある実施形態において、前記カバー部のｙ２軸方向の長さは、前記カバー部のｘ２軸方向の長さよりも短い。
【００１４】
ある実施形態において、前記カバー部のｙ２軸方向の長さは、前記カバー部のｘ２軸方向の長さよりも長い。
【００１５】
ある実施形態において、前記ホルダー部は、ｘ１‐ｙ１面に平行に設けられ、前記背面を覆う背面部材をさらに有する。
【００１６】
ある実施形態において、前記一対の側面部材のそれぞれのｙ１‐ｚ１面内において、ｙ１座標が、前記回転軸と、前記ホルダー部のｙ１軸方向における端および−ｙ１軸方向における端のうち前記回転軸から近い一の端との間である点は、前記回転軸からの距離が、前記ホルダー部のｚ１軸方向における長さの半分以下である。
【００１７】
ある実施形態において、前記ホルダー部をｘ１軸方向から見たとき、前記回転軸は、前記ホルダー部に保持されたモバイル電子機器と重なり、前記一対の側面部材のそれぞれにおいて、前記凸部のｙ１軸方向における端または前記凸部の−ｙ１軸方向における端は、前記ホルダー部の前記一の端と一致している。
【００１８】
ある実施形態において、前記ホルダー部をｘ１軸方向から見たとき、前記回転軸は、前記ホルダー部に保持されたモバイル電子機器と重ならない。
【００１９】
ある実施形態において、前記凸部は、幹部と、前記トラックに嵌合される嵌合部と有し、前記嵌合部のｙ１‐ｚ１面に平行な断面の面積は、前記幹部のｙ１‐ｚ１面に平行な断面の面積よりも大きい。
【００２０】
ある実施形態において、前記嵌合部のｚ１軸方向の長さは、前記間隙のｚ２軸方向の長さと略一致する。
【００２１】
ある実施形態において、前記ホルダー部をｘ１軸方向から見たとき、前記回転軸は、前記ホルダー部に保持されたモバイル電子機器と重なり、前記一対の側面部材のそれぞれにおいて、前記嵌合部のｙ１軸方向における端または前記嵌合部の−ｙ１軸方向における端が、前記ホルダー部の前記一の端よりも外側にある。
【００２２】
ある実施形態において、前記モバイル電子機器用ケースは、前記カバー上に設けられた太陽電池モジュールであって、前記第１の状態と、前記第２の状態とのそれぞれにおいて露出される太陽電池モジュールをさらに有する。
【００２３】
ある実施形態において、前記太陽電池モジュールは、色素増感太陽電池を含む。
【００２４】
ある実施形態において、前記カバー部をｚ２軸方向から見たとき、ｘ２軸方向において、前記太陽電池モジュールを有しない範囲は、前記カバー部のｘ２軸方向の長さのうち２０％以上である。
【００２５】
ある実施形態において、前記カバー部をｚ２軸方向から見たとき、前記太陽電池モジュールの面積は、前記カバーの面積の８０％以下である。
【００２６】
ある実施形態において、前記カバー部に設けられ、前記太陽電池モジュールと電気的に接続された第１の端子部と、前記ホルダー部に設けられ、前記ホルダー部に保持されたモバイル電子機器と電気的に接続される第２の端子部および第３の端子部であって、前記第１の状態において前記第１の端子部と電気的に接続される第２の端子部および前記第２の状態において前記第１の端子部と電気的に接続される第３の端子部とをさらに有する。
【００２７】
ある実施形態において、前記第１の端子部は、前記カバーの外面に設けられ、前記第２の端子部は、前記ホルダー部が有するｘ１‐ｙ１面に平行な面部材のうち、前記表示面側の面部材に設けられ、前記第３の端子部は、前記ホルダー部が有するｘ１‐ｙ１面に平行な面部材のうち、前記背面側の面部材に設けられる。
【００２８】
ある実施形態において、前記トラックが導電性を有し、かつ、前記第１の端子部を兼ね、前記凸部が導電性を有し、かつ、前記第２の端子部および前記第３の端子部を兼ねる。
【００２９】
ある実施形態において、前記モバイル電子機器用ケースは、ｚ１軸とｚ２軸との間の角度を、予め決められた角度で固定することができる角度調節部をさらに有する。
【００３０】
ある実施形態において、前記予め決められた角度は、０°超１８０°未満の任意の角度である。
【００３１】
ある実施形態において、前記角度調整部は、前記ホルダー部に設けられ、前記予め決められた角度における前記カバー部と前記ホルダー部との間の支柱となる。
【００３２】
ある実施形態において、前記嵌合部は、ｘ１軸方向から見たとき歯車状であり、前記角度調節部を兼ねる。
【発明の効果】
【００３３】
本発明の実施形態によると、モバイル電子機器の表示部を覆うカバーの開閉をコンパクトにかつ素早くできるモバイル電子機器用ケースが提供される。本発明の実施形態によるモバイル電子機器用ケースは、例えば混雑した乗り物内や人混みの中におけるモバイル電子機器の使用にも好適に用いられる。
【図面の簡単な説明】
【００３４】
【図１】本発明による実施形態１のモバイル電子機器用ケース１００Ａを模式的に示す図である。
【図２】本発明による実施形態１のモバイル電子機器用ケース１００Ａの第１の状態と第２の状態との間の遷移を模式的に示す図である。
【図３】本発明による実施形態１のモバイル電子機器用ケース１００Ａの第１の状態から第２の状態への遷移の一例を模式的に示す図である。
【図４】本発明による実施形態１のモバイル電子機器用ケース１００Ａをｘ１軸方向から見た平面図であり、凸部２２および回転軸２２ｒの周辺を拡大して示す図である。
【図５】本発明による実施形態１のモバイル電子機器用ケース１００Ａ１を模式的に示す図である。
【図６】本発明による実施形態２のモバイル電子機器用ケース１００Ｂを模式的に示す図である。
【図７】本発明による実施形態２のモバイル電子機器用ケース１００Ｂのホルダー部２０をｚ１軸方向から見た平面図の例であり、凸部２２および回転軸２２ｒの周辺を拡大して示す図である。
【図８】本発明による実施形態３のモバイル電子機器用ケース１００Ｃを模式的に示す図である。
【図９】左上は、本発明による実施形態３のモバイル電子機器用ケース１００Ｃのカバー部４０をｚ２軸方向から見た模式的な平面図であり、右上は、本発明による実施形態３のモバイル電子機器用ケース１００Ｃのカバー部４０を−ｚ２軸方向から見た模式的な平面図であり、左下は、本発明による実施形態３のモバイル電子機器用ケース１００Ｃのホルダー部２０をｚ１軸方向から見た模式的な平面図であり、右下は、本発明による実施形態３のモバイル電子機器用ケース１００Ｃのホルダー部２０を−ｚ１軸方向から見た模式的な平面図である。
【図１０】本発明による実施形態３のモバイル電子機器用ケース１００Ｃ１を模式的に示す図である。
【図１１】本発明による実施形態３のモバイル電子機器用ケース１００Ｃ１における、第１から第３の端子部の構成の一例を模式的に示す図である。
【図１２】本発明による実施形態４のモバイル電子機器用ケース１００Ｄを模式的に示す図である。
【図１３】本発明による実施形態４のモバイル電子機器用ケース１００Ｄ１を模式的に示す図である。
【図１４】本発明による実施形態４のモバイル電子機器用ケース１００Ｄ２を模式的に示す図である。
【図１５】比較例のモバイル電子機器用ケース９００を模式的に示す図である。
【図１６】比較例のモバイル電子機器用ケース９００の第１の状態と第２の状態との間の遷移を模式的に示す図である。
【図１７】比較例のモバイル電子機器用ケース９００の第１の状態から第２の状態への遷移の一例を模式的に示す図である。
【発明を実施するための形態】
【００３５】
まず、特許文献１のスマートフォン用ケースが有する、ケースカバー部の開閉に必要なスペースが大きいという問題（問題１）について説明する。図１５〜図１７を参照する。
【００３６】
図１５は、特許文献１のスマートフォン用ケース９００（以下、「比較例のモバイル電子機器用ケース９００」という。）を模式的に示す図である。
【００３７】
図１５に示すように、比較例のモバイル電子機器用ケース９００は、スマートフォン１０を収容するケース部９２と、スマートフォン１０の表示面１０ｄを覆うケースカバー部９８とを有する。ケース部９２においてｘ１ｙ１ｚ１直交座標系をとり、ケースカバー部９８においてｘ２ｙ２ｚ２直交座標系をとる。ケース部９２が保持するモバイル電子機器１０の表示面１０ｄと直交しかつ表示面１０ｄから離れる方向をｚ１軸とし、表示面１０ｄの一辺に平行な方向をｙ１軸とする。ケースカバー部９８において、ｘ１軸と一致する方向をｘ２軸とし、カバー９５と直交しかつカバー９５から離れる方向をｚ２軸とする。表示面１０ｄがカバー９５に覆われている第１の状態（図１６の左上図参照）において、ｚ１軸は−ｚ２軸と一致する。ケース部９２は、ｙ１‐ｚ１面に平行に設けられた一対の側面部のそれぞれに設けられ、ｙ１軸方向に伸びる溝９４を有する。ケースカバー部９８は、ｙ２‐ｚ２面に平行に設けられた一対の側面部のそれぞれに設けられ、ｘ２軸方向の回転軸を規定する凸部９６を有する。凸部９６が溝９４に嵌合されることによって、ケースカバー部９８はケース部９２に対して、溝９４に沿ってスライドし、かつ、凸部９６が規定する回転軸を中心に回転することができる。
【００３８】
なお、特許文献１には、ケース部９２のｙ１軸方向の長さＬｈｙが、ｘ１軸方向の長さＬｈｘよりも長い場合が開示されているが、ここでは、本発明の実施形態との差異をわかりやすく説明するために、ケース部９２のｙ１軸方向の長さＬｈｙが、ｘ１軸方向の長さＬｈｘよりも短い場合を図１５に示している。
【００３９】
なお、ｘ１ｙ１ｚ１直交座標系は、右手系の直交座標系である。図１５においては、ｘ１ｙ１ｚ１直交座標系を規定するｘ１軸、ｙ１軸およびｚ１軸に加えて、−ｘ１軸、−ｙ１軸および−ｚ１軸も表示する。本明細書において、−ｘ１軸は、その方向がｘ１軸の方向と逆である軸をいう。同様に、−ｙ１軸は、その方向がｙ１軸の方向と逆である軸をいう。−ｚ１軸は、その方向がｚ１軸の方向と逆である軸をいう。他の図においては、−ｘ１軸、−ｙ１軸および−ｚ１軸の表示を省略することがある。ｘ２ｙ２ｚ２直交座標系についても同様である。
【００４０】
図１６は、比較例のモバイル電子機器用ケース９００の第１の状態９００（Ｓ１）と、比較例のモバイル電子機器用ケース９００の第２の状態９００（Ｓ２）との間の遷移を模式的に表す斜視図である。
【００４１】
図１６において、左上は、比較例のモバイル電子機器用ケース９００の第１の状態９００（Ｓ１）を示し、左下は、比較例のモバイル電子機器用ケース９００の第２の状態９００（Ｓ２）を示す。以下、モバイル電子機器用ケースの参照符号の末尾に（Ｓ１）を付して第１の状態を表し、モバイル電子機器用ケースの参照符号の末尾に（Ｓ２）を付して第２の状態を表す。図１６においては、わかりやすさのために、ケース部９２を固定し、ケース部９２に対するケースカバー部９８の回転およびスライドを示す。従って、図１６においては、ケース部９２のｘ１ｙ１ｚ１座標軸は変化しない。ケースカバー部９８のｘ２ｙ２ｚ２座標軸は、第１の状態および第２の状態におけるもののみを示し、他の状態におけるものは省略している。
【００４２】
第１の状態９００（Ｓ１）において、ケースカバー部９８は、スマートフォン１０の表示面１０ｄを覆っている。第２の状態９００（Ｓ２）において、表示面１０ｄが露出され、ケースカバー部９８は、スマートフォン１０の表示面１０ｄと対向する背面を覆うように、ケース部９２を覆っている。
【００４３】
第１の状態から第２の状態へ遷移する過程において、例えば、ケースカバー部９８がケース部９２に対して回転した後、ケースカバー部９８がケース部９２に対してスライドする。例えば、第１の状態９００（Ｓ１）から、ケースカバー部９８がケース部９２に対して凸部９６が規定する回転軸を中心に１８０°回転した後、ケースカバー部９８はケース部９２に対して、ｙ２軸方向にケースカバー部のｙ２軸方向の長さＬｃｙだけスライドし、第２の状態９００（Ｓ２）に至る。簡単のため、溝９４のｙ２軸方向の長さは、ケースカバー部９８のｙ２軸方向の長さＬｃｙと同じとする。また、回転とスライドの順序を逆にしてもよい。例えば、第１の状態９００（Ｓ１）から、ケースカバー部９８がケース部９２に対して、ｙ２軸方向にケースカバー部９８のｙ２軸方向の長さＬｃｙだけスライドした後、ケースカバー部９８がケース部９２に対して、凸部９６が規定する回転軸を中心に１８０°回転して、第２の状態９００（Ｓ２）に至ることができる。
【００４４】
ここで、ケースカバー部９８がケース部９２に対して回転することができるのは、溝９４の端においてのみであり、溝９４の中間点においては回転することができない。ケースカバー部９８がケース部９２に対してスライドすることができるのは、ｚ１軸が−ｚ２軸と一致する状態またはｚ１軸がｚ２軸と一致する状態のみである。つまり、表示面１０ｄとカバー９５とが平行である状態のみでスライドすることができ、ｚ１軸がｚ２軸または−ｚ２軸に対して傾いている状態では、スライドすることができない。すなわち、回転およびスライドは、回転し終えてからスライドするか、または、スライドし終えてから回転するという順序で遷移する必要がある。回転およびスライドのそれぞれを分割して、交互に行うことはできない。回転およびスライドを同時に行うこともできない。これは、ケースカバー部９８が、回転軸を規定する凸部９６を有するためである。このために、比較例のモバイル電子機器用ケース９００は、表示部を覆うカバーの開閉に必要なスペースが大きいという問題１を有する。図１７を参照して続けて説明する。
【００４５】
図１７は、比較例のモバイル電子機器用ケース９００の第１の状態から第２の状態への遷移の一例を模式的に示す。図１７は、比較例のモバイル電子機器用ケース９００をｘ１軸方向から見た平面図である。ｘ１軸とｘ２軸とは互いに平行であるので、比較例のモバイル電子機器用ケース９００をｘ１軸方向から見た平面図は、比較例のモバイル電子機器用ケース９００をｘ２軸方向から見た平面図と一致する。図１７においては、ケース部９２のｘ１ｙ１ｚ１座標軸を表示し、ケースカバー部９８のｘ２ｙ２ｚ２座標軸は省略する。
【００４６】
図１７には、第１の状態と第２の状態との間の遷移の一例として、次のような過程を示す。第１の状態からケースカバー部９８を、凸部９６によって規定される回転軸を中心に１８０°回転させた状態Ａを経て、状態Ａからケースカバー部９８をｙ２軸方向に、ケースカバー部９８のｙ２軸方向の長さＬｃｙだけスライドさせることによって第２の状態へ遷移する過程を考える。ここで、図１７においては、カバー部の参照符号の末尾に括弧付きで記号を付して、それぞれの状態におけるカバー部を表している。ケースカバー部９８（Ｓ１）は第１の状態におけるカバー部９８を表し、ケースカバー部９８（Ｓ２）は第２の状態におけるケースカバー部９８を表し、ケースカバー部９８（ＳＡ）は状態Ａにおけるケースカバー部９８を表す。
【００４７】
これらの過程において、ｙ１‐ｚ１面内でケースカバー部９８が通過する面積は、半径Ｌｃｙの半円の面積とおよそ同じであり、すなわちおよそπＬｃｙ2／２である。なお、ここでは、簡単のために、ケースカバー部９８のｚ１軸方向の長さＬｃｚは考慮しておらず、凸部９６によって規定される回転軸は、ケースカバー部９８のｙ２軸方向の端にあるとしている。これらの仮定は、ケースカバー部９８のｚ２軸方向の長さＬｃｚは、ケースカバー部９８のｙ２軸方向の長さＬｃｙよりも十分小さい場合、および、凸部９６によって規定される回転軸からケースカバー部９８のｙ２軸方向の端までの距離が、ケースカバー部９８のｙ２軸方向の長さＬｃｙよりも十分小さい場合には、面積の評価に大きく影響を与えない。同様にして、上記の過程において、カバー部４０内のある点が移動する距離を評価する。ケースカバー部９８のｙ２軸方向における端の一点が、ｙ１‐ｚ１面内で移動する距離は、およそ、半径Ｌｃｙ、中心角１８０°の円弧の長さπＬｃｙおよびケースカバー部９８のｙ２軸方向の長さＬｃｙの和（Ｌｃｙ（π＋１））である。
【００４８】
以下で、図面を参照して、本発明の実施形態による型を説明する。なお、本発明は以下で例示する実施形態に限られない。以下の図面において、実質的に同じ機能を有する構成要素は共通の参照符号で示し、その説明を省略することがある。
【００４９】
（実施形態１）
図１〜図３を参照しながら、本発明による実施形態１のモバイル電子機器用ケース１００Ａを説明する。図１は、モバイル電子機器用ケース１００Ａを模式的に示す図である。
【００５０】
モバイル電子機器用ケース１００Ａは、モバイル電子機器１０を保持するホルダー部２０と、モバイル電子機器１０の表示面１０ｄを覆うシート状のカバー４２を含むカバー部４０とを備える。ホルダー部２０において、ホルダー部２０に保持されるモバイル電子機器１０の表示面１０ｄと直交しかつ表示面１０ｄから離れる方向をｚ１軸とし、ｚ１軸と直交かつ表示面１０ｄの一辺に平行な方向をｙ１軸とし、ｙ１軸およびｚ１軸に直交する方向をｘ１軸としたｘ１ｙ１ｚ１直交座標系をとる。カバー部４０において、ｘ１軸と一致する方向をｘ２軸とし、ｘ２軸およびカバー４２と直交しかつカバー４２の内面から離れる方向をｚ２軸とし、ｘ２軸およびｚ２軸に直交する方向をｙ２軸としたｘ２ｙ２ｚ２直交座標系をとる。表示面１０ｄがカバー４２に覆われている第１の状態（図２の左上図参照）において、ｚ１軸は−ｚ２軸と一致する。ホルダー部２０は、ｙ１‐ｚ１面に平行に設けられた一対の側面部材２０ｘと、一対の側面部材２０ｘのそれぞれに設けられ、ｘ１軸方向の回転軸２２ｒを規定する凸部２２とを有する。カバー部４０は、ｙ２‐ｚ２面に平行に設けられた一対の横枠部材４０ｘと、一対の横枠部材４０ｘのそれぞれに設けられ、ｙ２軸方向に伸びる間隙を画定し、かつ、凸部２２を受容するトラック４４とを有する。
【００５１】
モバイル電子機器用ケース１００Ａにおいて、カバー部４０は、ホルダー部２０に対して、トラック４４に沿ってスライドし、回転軸２２ｒを中心に回転する。モバイル電子機器用ケース１００Ａは、図２〜図３を参照して説明するように、モバイル電子機器の表示部を覆うカバーの開閉をコンパクトにかつ素早くできる。
【００５２】
なお、ｘ１ｙ１ｚ１直交座標系は、右手系の直交座標系である。図１においては、ｘ１ｙ１ｚ１直交座標系を規定するｘ１軸、ｙ１軸およびｚ１軸に加えて、−ｘ１軸、−ｙ１軸および−ｚ１軸も表示する。本明細書において、−ｘ１軸は、その方向がｘ１軸の方向と逆である軸をいう。同様に、−ｙ１軸は、その方向がｙ１軸の方向と逆である軸をいう。−ｚ１軸は、その方向がｚ１軸の方向と逆である軸をいう。他の図においては、−ｘ１軸、−ｙ１軸および−ｚ１軸の表示を省略することがある。ｘ２ｙ２ｚ２直交座標系についても同様である。
【００５３】
モバイル電子機器１０の表示面１０ｄは、典型的には、モバイル電子機器１０の主たる表示部を含む面をいう。モバイル電子機器が複数の面に表示部を有する場合には、例えば、含まれる表示部の総面積が大きい面を表示面とする。これに限られず、カバーによる保護が特に必要な面を表示面としてもよい。表示部の形状は図１に例示される矩形状に限られず、例えば、円形状、楕円形状等、任意の形状であってよい。
【００５４】
ホルダー部２０は、モバイル電子機器１０の表示面１０ｄを露出した状態で、モバイル電子機器１０を保持する。ｙ１‐ｚ１面に平行に設けられた一対の側面部材（第１の側面部材）２０ｘは、例えば、ホルダー部２０に保持されるモバイル電子機器１０のｙ１‐ｚ１面に平行な面を覆う。一対の側面部材２０ｘは、ホルダー部２０に保持されるモバイル電子機器１０のｙ１‐ｚ１面に平行な面を完全に覆ってもよいし、一部のみ覆ってもよい。例えば、一対の側面部材２０ｘは、ホルダー部２０に保持されるモバイル電子機器１０のｙ１‐ｚ１面に平行な面を形成する辺に沿って保持する部材であってもよい。
【００５５】
ホルダー部２０は、ｘ１‐ｚ１面に平行に設けられた一対の側面部材（第２の側面部材）２０ｙをさらに有してもよい。第２の側面部材２０ｙは、例えば、ホルダー部２０に保持されるモバイル電子機器１０のｘ１‐ｚ１面に平行な面を覆う。第２の側面部材２０ｙは、第１の側面部材２０ｘと同様に、ホルダー部２０に保持されるモバイル電子機器１０のｘ１‐ｚ１面に平行な面を完全に覆ってもよいし、一部のみ覆ってもよいし、ホルダー部２０に保持されるモバイル電子機器１０のｘ１‐ｚ１面に平行な面を形成する辺に沿って保持してもよい。ホルダー部２０は、例えば、ｘ１‐ｙ１面に平行に設けられた背面部材２０ｂ（図９参照）をさらに有してもよい。ホルダー部２０の背面部材は、例えば、表示面１０ｄと反対側の背面１０ｂ（図９参照）を覆う。ホルダー部２０の背面部材は、第１および第２の側面部材２０ｘ、２０ｙと同様に、表示面１０ｄと反対側の背面を完全に覆ってもよいし、一部のみ覆ってもよいし、表示面１０ｄと反対側の背面を形成する辺に沿って保持してもよい。
【００５６】
凸部２２は、典型的には、円柱状である。凸部２２は、例えば、円錐台状であってもよい。凸部２２は、例えば、角柱または楕円柱であってもよいが、回転のしやすさのためには、凸部２２は円柱状であることが好ましい。
【００５７】
カバー部４０は、例えば、凹状の溝であるトラック４４を有する。この場合、トラック４４により画定されるｙ２‐ｚ２面内の間隙はｘ２軸方向に貫通しない。トラック４４により画定される間隙は、ｘ２軸方向に貫通していてもよい。ｘ２軸方向に貫通する間隙は、例えば、略楕円形状のレールであるトラック４４（図１０参照）によって画定される。この場合、ｙ２‐ｚ２面に平行に設けられた一対の横枠部材４０ｘは略楕円形状のレールを含む。このように、一対の横枠部材４０ｘは、ｙ２‐ｚ２面に平行なシート形状のものに限られず、ｘ２軸方向に貫通していてもよい。
【００５８】
トラック４４によって画定される間隙のｙ２軸方向の長さは、例えば、カバー部４０のｙ２軸方向の長さとほぼ同じである。トラック４４によって画定される間隙のｙ２軸方向の長さは、カバー部４０のｙ２軸方向の長さよりも短くてもよい。トラック４４のｙ２軸方向の両端は、例えば図１に例示されるように、横枠部材４０ｘ内で閉じられている。
【００５９】
ホルダー部２０のｙ１軸方向の長さＬｈｙは、例えば、カバー部４０のｙ２軸方向の長さＬｃｙとほぼ同じである。ホルダー部２０のｘ１軸方向の長さＬｈｘは、例えば、カバー部４０のｘ２軸方向の長さＬｃｘから、それぞれの横枠部材４０ｘのｘ２軸方向の厚さの２倍を除いた長さと略一致する。ここで、ホルダー部２０のｘ１軸方向の長さＬｈｘは、凸部２２のｘ１軸方向の長さを含まない。ホルダー部２０のｚ１軸方向の長さ（厚さ）Ｌｈｚは、例えば、カバー部４０のｚ２軸方向の長さ（厚さ）Ｌｃｚからカバー４２のｚ２軸方向の長さ（厚さ）を除いた長さと略一致する。
【００６０】
カバー部４０のｙ２軸方向の長さＬｃｙは、例えば、カバー部４０のｘ２軸方向の長さＬｃｘよりも短い。カバー部４０のｙ２軸方向の長さＬｃｙは、カバー部４０のｘ２軸方向の長さＬｃｘよりも長くてもよい。ただし、後述するように、カバー部４０のｙ２軸方向の長さＬｃｙが短いと、表示部を覆うカバーの開閉をよりコンパクトにかつより素早くできる。
【００６１】
ホルダー部２０およびカバー部４０は、例えば、同じ材料から形成される。ホルダー部２０およびカバー部４０は、例えば、樹脂材料（例えばＡＢＳ樹脂、ＰＰ樹脂、ＰＥ樹脂、ＰＣ樹脂、ＰＭＭＡ樹脂、シリコーンラバー、ＴＰＵ（熱可塑性ポリウレタン）樹脂）、または金属材料（例えばアルミニウム合金、マグネシウム合金、ステンレス鋼）から形成することができる。ホルダー部２０とカバー部４０とは、異なる材料から形成されてもよい。樹脂材料から形成されるホルダー部２０および／またはカバー部４０は、金型成形（例えば射出成形またはインサート成形）によって作製される。金属材料から形成されるホルダー部２０および／またはカバー部４０の製造には、例えばプレス加工、削り出し加工、金型成形等を用いることができる。上記の方法で作製したホルダー部２０および／またはカバー部４０を、例えばデザイン性を向上させるためおよび／またはモバイル電子機器の保護機能を向上させるために革または布で覆うこともできる。
【００６２】
図２は、モバイル電子機器用ケース１００Ａの第１の状態１００Ａ（Ｓ１）と、モバイル電子機器用ケース１００Ａの第２の状態１００Ａ（Ｓ２）との間の遷移を模式的に表す斜視図である。
【００６３】
図２において、左上は、モバイル電子機器用ケース１００Ａの第１の状態１００Ａ（Ｓ１）を示し、左下は、モバイル電子機器用ケース１００Ａの第２の状態１００Ａ（Ｓ２）を示す。図２においては、わかりやすさのために、ホルダー部２０を固定し、ホルダー部２０に対するカバー部４０の回転およびスライドを示す。特に記載しない限り、以下同じとする。従って、図２においては、ホルダー部２０のｘ１ｙ１ｚ１座標軸は変化しない。カバー部４０のｘ２ｙ２ｚ２座標軸は、第１の状態および第２の状態におけるもののみを示し、他の状態におけるものは省略している。モバイル電子機器用ケース１００Ａを使用する際には、もちろん図２に示した例に限られず、カバー部４０を固定してホルダー部２０を回転および／またはスライドさせてもよいし、ホルダー部２０およびカバー部４０の両方を回転および／またはスライドさせてもよい。
【００６４】
第１の状態１００Ａ（Ｓ１）において、表示面１０ｄがカバー４２に覆われることにより、表示面１０ｄは保護されている。第１の状態において、ｚ１軸は−ｚ２軸と一致する。すなわち、第１の状態において、表示面１０ｄとカバー４２とは互いに平行である。第１の状態１００Ａ（Ｓ１）は、典型的には、モバイル電子機器１０を使用しない場合の状態である。第２の状態１００Ａ（Ｓ２）において、モバイル電子機器１０の表示面１０ｄと対向する背面がカバー４２に覆われることにより、表示面１０ｄは露出されている。第２の状態において、例えば、ｚ１軸はｚ２軸と一致する。例えば、表示面１０ｄと対向する背面とは互いに平行であり、第２の状態において、表示面１０ｄおよび背面とカバー４２とは互いに平行であってもよい。第２の状態１００Ａ（Ｓ２）は、典型的には、モバイル電子機器１０を使用する場合の状態である。例えば、モバイル電子機器を使用し始める時および使用し終える時に、第１の状態と第２の状態とを切り替える。
【００６５】
第１の状態から第２の状態へ遷移する過程において、カバー部４０がホルダー部２０に対して回転し、かつ、カバー部４０がホルダー部２０に対してスライドする。回転とスライドの順序は問われない。回転した後にスライドしてもよいし、スライドした後に回転してもよい。例えば、第１の状態から、カバー部４０が回転軸２２ｒを中心に１８０°回転した後、カバー部４０がｙ２軸方向に、カバー部４０のｙ２軸方向の長さＬｃｙだけスライドすることにより、第２の状態へ至ることができる。簡単のため、トラック４４により画定される間隙のｙ２軸方向の長さは、カバー部４０のｙ２軸方向の長さＬｃｙと同じとする。また、回転とスライドの順序を逆にしてもよい。すなわち、第１の状態から、カバー部４０がｙ２軸方向に、カバー部４０のｙ２軸方向の長さＬｃｙだけスライドした後、カバー部４０が回転軸２２ｒを中心に１８０°回転することにより、第２の状態へ至ることもできる。
【００６６】
モバイル電子機器用ケース１００Ａにおいては、回転および／またはスライドを分割して交互に行うこともできる。回転およびスライドを同時に行うこともできる。図３を参照してその一例を後述する。この場合、第１の状態から第２の状態へ変化する過程において、カバー部４０がｙ２軸方向にスライドする距離の合計が、カバー部４０のｙ２軸方向の長さＬｃｙであり、カバー部４０が回転軸２２ｒを中心に回転する角度の合計が約１８０°であればよい。
【００６７】
すなわち、カバー部４０がホルダー部２０に対して回転することができるのは、回転軸２２ｒがトラック４４のｙ２軸方向における端または−ｙ２軸方向における端に位置する場合だけではなく、回転軸２２ｒがトラック４４の中間点に位置する場合も含まれる。カバー部４０がホルダー部２０に対してスライドすることができるのは、ｚ１軸が−ｚ２軸と一致する状態またはｚ１軸がｚ２軸と一致する状態だけではなく、ｚ１軸がｚ２軸または−ｚ２軸に対して傾いている状態（表示面１０ｄがカバー４２に対して傾いている状態）も含まれる。
【００６８】
このように、モバイル電子機器用ケース１００Ａは、第１の状態から第２の状態へ遷移する過程の自由度が高い。これは、ホルダー部２０に回転軸２２ｒを規定する凸部２２が設けられているためである。モバイル電子機器用ケース１００Ａは、混雑した乗り物内や人混みの中で使用する場合等においても好適に使用することができる。
【００６９】
図３を参照して、モバイル電子機器用ケース１００Ａが表示部を覆うカバーの開閉をコンパクトにかつ素早くできることを説明する。図３は、モバイル電子機器用ケース１００Ａの第１の状態から第２の状態への遷移の一例を模式的に示す。図３は、モバイル電子機器用ケース１００Ａをｘ１軸方向から見た平面図である。ｘ１軸とｘ２軸とは互いに平行であるので、モバイル電子機器用ケース１００Ａをｘ１軸方向から見た平面図は、モバイル電子機器用ケース１００Ａをｘ２軸方向から見た平面図と一致する。図３においては、ホルダー部２０のｘ１ｙ１ｚ１座標軸を表示し、カバー部４０のｘ２ｙ２ｚ２座標軸は省略する。
【００７０】
図３に示すように、第１の状態と第２の状態との間の遷移の一例として、次のような過程が考えられる。第１の状態から、カバー部４０をｙ２軸方向に、カバー部４０のｙ２軸方向の長さの半分（Ｌｃｙ／２）だけスライドさせた状態ａ、および、状態ａからカバー部４０を、回転軸２２ｒを中心に１８０°回転させた状態ｂを経て、状態ｂからカバー部４０をｙ２軸方向に、さらにＬｃｙ／２だけスライドさせることによって第２の状態へ遷移する過程を考える。
【００７１】
ここで、図３においては、カバー部の参照符号の末尾に括弧付きで記号を付して、それぞれの状態におけるカバー部を表している。例えば、カバー部４０（Ｓ１）は第１の状態におけるカバー部４０を表し、カバー部４０（Ｓ２）は第２の状態におけるカバー部４０を表す。カバー部４０（Ｓａ）およびカバー部４０（Ｓｂ）は、それぞれ、状態ａおよび状態ｂにおけるカバー部４０を表す。カバー部４０（Ｓ１）は実線で表し、カバー部４０（Ｓａ）およびカバー部４０（Ｓｂ）は点線で表し、カバー部４０（Ｓ２）は破線で表す。回転軸２２ｒは「×」の交点で表す。
【００７２】
これらの過程において、カバー部４０がｙ１‐ｚ１面内（またはｙ２‐ｚ２面内）で通過する面積は、半径Ｌｃｙ／２の円の面積とおよそ同じであり、すなわちおよそπＬｃｙ2／４である。なお、ここでは、簡単のために、カバー部４０のｚ２軸方向の長さＬｃｚは考慮しておらず、回転軸２２ｒは、ホルダー部２０の−ｙ１軸方向の端にあるとしている。これらの仮定は、カバー部４０のｚ２軸方向の長さＬｃｚが、カバー部４０のｙ２軸方向の長さＬｃｙよりも十分小さい場合、および、回転軸２２ｒからホルダー部２０の−ｙ１軸方向の端までの距離が、カバー部４０のｙ２軸方向の長さＬｃｙよりも十分小さい場合は、面積の評価に大きく影響を与えない。同様の仮定で、上記の過程において、カバー部４０内のある点が移動する距離を評価する。カバー部４０のｙ２軸方向における端の一点が、ｙ１‐ｚ１面内（またはｙ２‐ｚ２面内）で移動する距離は、およそ、半径Ｌｃｙ／２、中心角１８０°の円弧の長さπＬｃｙ／２およびカバー部４０のｙ２軸方向の長さＬｃｙの和（Ｌｃｙ（π／２＋１））である。
【００７３】
このように、実施形態１のモバイル電子機器用ケースにおいて、モバイル電子機器の表示部を覆うカバーの開閉に必要なスペースは、比較例のモバイル電子機器用ケースにおける場合よりも小さい。カバーの開閉においてカバーが移動する距離も、比較例のモバイル電子機器用ケースにおける場合よりも小さい。実施形態１のモバイル電子機器用ケースは、表示部を覆うカバーの開閉をコンパクトにかつ素早くできる。実施形態１のモバイル電子機器用ケースは、上記の問題１を解決することができる。上述した概算によると、カバーの開閉に必要なスペースは、比較例のモバイル電子機器用ケースにおける場合を１とすると、実施形態１のモバイル電子機器用ケースにおいてはおよそ０．５である。カバーの開閉においてカバーが移動する距離は、比較例のモバイル電子機器用ケースにおける場合を１とすると、実施形態１のモバイル電子機器用ケースにおいてはおよそ０．６である。
【００７４】
図３を参照して上述したように、ｙ１‐ｚ１面内でカバー部４０が通過する面積は、カバー部４０のｙ２軸方向の長さＬｃｙの二乗にほぼ比例するので、カバー部４０のｙ２軸方向の長さが短い場合、表示部を覆うカバーの開閉をよりコンパクトにかつより素早くできる。カバーの開閉をコンパクトにかつ素早くできるという効果を大きくしたい場合は、モバイル電子機器の表示面のうち短辺を、ｙ１軸に平行な方向とすればよい。
【００７５】
第２の状態から第１の状態へ遷移する過程は、例えば、第１の状態から第２の状態への遷移の過程を逆に行ったものである。第１の状態から第２の状態への遷移の過程を逆に行った過程から、回転およびスライドの順序を変更してもよい。ここでも、第２の状態から第１の状態へ変化する過程において、カバー部４０が−ｙ２軸方向にスライドする距離の合計が、カバー部４０のｙ２軸方向の長さＬｃｙであり、カバー部４０が回転軸２２ｒを中心に回転する角度の合計が約１８０°であればよく、スライドおよび回転を同時に行ってもよい。スライドする方向および回転する方向は、第１の状態から第２の状態への遷移過程とは逆である。
【００７６】
図４を参照して、ホルダー部２０の第１の側面部材２０ｘの構造を詳細に説明する。図４は、モバイル電子機器用ケース１００Ａをｘ１軸方向から見た平面図であり、第１の側面部材２０ｘの凸部２２および回転軸２２ｒの周辺を拡大して示している。見やすさのために、図４においては、カバー部４０の横枠部材４０ｘのうち、ｘ１軸方向から見たときにホルダー部２０と重なる部分は省略している。図４の左図は、第１の状態であり、図４の右図は、第１の状態から、カバー部４０を、回転軸２２ｒを中心に回転させた状態である。図４においては、カバー部４０を固定して、ホルダー部２０をカバー部４０に対して回転させている。
【００７７】
図４に示すように、第１の側面部材２０ｘのｙ１‐ｚ１面内において、ｙ１座標が、回転軸２２ｒと、ホルダー部２０のｙ１軸方向における端およびホルダー部２０の−ｙ１軸方向における端のうち回転軸２２ｒから近い一の端（図４の例においてはホルダー部２０の−ｙ１軸方向における端）との間である点は、回転軸２２ｒからの距離が、ホルダー部２０のｚ１軸方向における長さＬｈｚの半分以下である。図４中、回転軸２２ｒを中心とした、半径Ｌｈｚ／２の円を破線で示している。図４中、斜線部は、ｙ１座標が、回転軸２２ｒと、ホルダー部２０の−ｙ１軸方向の端との間である範囲を示す。図４から明らかなように、斜線で示した範囲は、破線で示した円の中にある。このような構造にすることで、ホルダー部２０とカバー部４０とが互いにぶつかることなく、ホルダー部２０はカバー部４０に対して回転することができる。なお、ホルダー部２０のこのような構造は、他の図では省略していることがある。図４の例に限られず、回転軸２２ｒのｙ１座標は、ホルダー部２０のｙ１軸方向における端およびホルダー部２０の−ｙ１軸方向における端のうち、ホルダー部２０のｙ１軸方向における端に近くてもよい。
【００７８】
図４に示すようなホルダー部２０は、例えば、ホルダー部２０をｙ１‐ｚ１面内において略矩形状として形成した後、図４の円内に入るように矩形の角を削ればよい。上述した金型成形（例えば射出成形またはインサート成形）やプレス加工によって、図４に示すような構造を有するホルダー部２０を作製することもできる。図４からわかるように、例えば、回転軸２２ｒのｙ１座標が、ホルダー部２０のｙ１軸方向の端およびホルダー部２０のｙ１軸方向の端のうちいずれか近い方の端に近いほど、削る量は少なくなり得る。
【００７９】
実施形態１のモバイル電子機器用ケースにおいて、例えば、図３および図４に示すように、ホルダー部２０をｘ１軸方向から見たとき、凸部２２は完全にホルダー部２０と重なる。図３に示すように、ホルダー部２０をｘ１軸方向から見たとき、ｙ１座標において、凸部２２の端は、ホルダー部２０の端よりも内側にあってもよい。図４に示すように、第１の側面部材２０ｘにおいて、凸部２２の−ｙ１軸方向における端が、ホルダー部２０の−ｙ１軸方向における端と一致していてもよい。また、実施形態１のモバイル電子機器用ケースにおいて、例えば、図３および図４に示すように、ホルダー部２０をｘ１軸方向から見たとき、回転軸２２ｒはホルダー部２０およびホルダー部２２に保持されたモバイル電子機器１０と重なる。実施形態１のモバイル電子機器用ケースはこれらに限定されるものではない。
【００８０】
図５は、実施形態１のモバイル電子機器用ケース１００Ａ１を模式的に示す。モバイル電子機器用ケース１００Ａ１は、凸部２２および回転軸２２ｒの位置において、モバイル電子機器用ケース１００と異なる。モバイル電子機器用ケース１００Ａ１は、凸部２２および回転軸２２ｒの位置を除いて、モバイル電子機器用ケース１００と同じであってよい。
【００８１】
図５に示すように、モバイル電子機器用ケース１００Ａ１において、ホルダー部２０をｘ１軸方向から見たとき、回転軸２２ｒは、ホルダー部２０に保持されたモバイル電子機器１０と重ならない。この場合、ホルダー部２０のｙ１軸方向の長さＬｈｙは、カバー部４０のｙ２軸方向の長さよりも長くなり得る。ホルダー部２０のｙ１‐ｚ１面に平行な断面のうち、凸部２２を有しない断面（第１の側面部材２０ｘを有しない部分の断面）におけるｙ１軸方向の長さＬｈｙ’は、ホルダー部２０のｙ１軸方向の長さＬｈｙよりも短い。モバイル電子機器用ケース１００Ａ１においては、ホルダー部２０をカバー部４０に対して回転させるときに、ホルダー部２０とカバー部４０との間に有するスペースが、モバイル電子機器用ケース１００Ａよりも広い。従って、よりスムーズに回転することができ、モバイル電子機器の表示部を覆うカバーの開閉を、より素早く行うことができる。さらに、図９を参照して後述する第１の端子部５１を有しても、カバー開閉のスムーズさが損なわれ難い。詳細は、後述する。
【００８２】
（実施形態２）
図６を参照して、本発明による実施形態２のモバイル電子機器用ケース１００Ｂを説明する。図６は、モバイル電子機器用ケース１００Ｂを模式的に示す図である。以下では、本実施形態におけるモバイル電子機器用ケース１００Ｂが実施形態１におけるモバイル電子機器用ケースと異なる点を中心に説明を行う。以降の実施形態についても同様である。
【００８３】
モバイル電子機器用ケース１００Ｂにおいて、凸部２２は、幹部２１と、トラック４４に嵌合される嵌合部２３と有する。嵌合部２３のｙ１‐ｚ１面に平行な断面の面積は、幹部２１のｙ１‐ｚ１面に平行な断面の面積よりも大きい。
【００８４】
モバイル電子機器用ケース１００Ｂにおいて、カバー部４０は、ホルダー部２０に対して、トラック４４に沿ってスライドし、回転軸２２ｒを中心に回転する。モバイル電子機器用ケース１００Ｂは、モバイル電子機器用ケース１００Ａと同様に、モバイル電子機器の表示部を覆うカバーの開閉をコンパクトにかつ素早くできる。モバイル電子機器用ケース１００Ｂは、上記の問題１を解決することができる。
【００８５】
モバイル電子機器用ケース１００Ｂの凸部２２は、嵌合部２３を有するので、凸部２２がトラック４４からはずれることを防ぐことができる。ホルダー部２０は、カバー部４０に対して、よりスムーズにスライドすることができる。従って、モバイル電子機器の表示部を覆うカバーの開閉を、より素早く行うことができる。
【００８６】
嵌合部２３の、ｙ１‐ｚ１面に平行な断面は、例えば円である。嵌合部２３の、ｙ１‐ｚ１面に平行な断面の形状はこれに限られないが、回転をスムーズに行う観点からは、円形状であることが好ましい。嵌合部２３と凸部２２とが一体として形成されている場合は、円形状であることが特に好ましい。幹部２１が嵌合部２３に対して回転軸２２ｒを中心として回転することができる場合は、円形状に限られず、例えば、楕円形状や矩形状であってもよい。いずれの場合も、嵌合部２３のｚ１軸方向の長さは、例えば、トラック４４によって画定される間隙のｚ２軸方向の長さと略一致することが好ましい。
【００８７】
実施形態１で説明したように、凸部２２および回転軸２２ｒの位置は、例示したものに限られない。図７を参照して、凸部２２および回転軸２２ｒの位置の例を説明する。図７に、実施形態２のモバイル電子機器用ケース１００Ｂのホルダー部２０をｚ１軸方向から見た平面図の例を模式的に示す。図７は、凸部２２および回転軸２２ｒの周辺を拡大して示す図である。
【００８８】
図７の右図および左図に示すように、回転軸２２ｒは、例えば、ホルダー部２０をｘ１軸方向から見たとき、ホルダー部２０およびホルダー部２２に保持されたモバイル電子機器１０と重なる。
【００８９】
図７の右図に示すように、例えば、ホルダー部２０をｘ１軸方向から見たとき、嵌合部２３の−ｙ１軸方向における端が、ホルダー部２０の−ｙ１軸方向における端と一致していてもよい。または、図７の左図に示すように、例えば、ホルダー部２０をｘ１軸方向から見たとき、幹部２１の−ｙ１軸方向における端が、ホルダー部２０の−ｙ１軸方向における端と一致していてもよい。
【００９０】
図７の左図に示すように、ホルダー部２０をｘ１軸方向から見たとき、すなわち第１の側面部材２０ｘにおいて、嵌合部２３の−ｙ１軸方向における端が、ホルダー部２０の−ｙ１軸方向における端よりも外側にあってもよい。嵌合部２３の−ｙ１軸方向における端が、ホルダー部２０の−ｙ１軸方向における端よりも外側にあると、ホルダー部２０をカバー部４０に対して回転させるときに、ホルダー部２０とカバー部４０との間のスペースが広い。従って、よりスムーズに回転することができ、モバイル電子機器の表示部を覆うカバーの開閉を、より素早く行うことができる。さらに、図９を参照して後述する第１の端子部５１を設けても、カバー開閉のスムーズさが損なわれ難い。詳細は、後述する。
【００９１】
なお、図７の例に限られず、回転軸２２ｒのｙ１座標は、ホルダー部２０のｙ１軸方向における端およびホルダー部２０の−ｙ１軸方向における端のうち、ホルダー部２０のｙ１軸方向における端に近くてももちろんよい。この場合、図７を参照して上述した、幹部２１の−ｙ１軸方向における端または嵌合部２３の−ｙ１軸方向における端と、ホルダー部２０の−ｙ１軸方向における端との関係は、幹部２１のｙ１軸方向における端または嵌合部２３のｙ１軸方向における端と、ホルダー部２０のｙ１軸方向における端との関係にあてはまる。
【００９２】
また、図５を参照して実施形態１のモバイル電子機器用ケース１００Ａ１を説明したように、実施形態２においても、ホルダー部２０をｘ１軸方向から見たとき、回転軸２２ｒは、ホルダー部２０に保持されたモバイル電子機器１０と重ならない構造を有することもできる。このような構造を有すると、ホルダー部２０をカバー部４０に対して回転させるときに、ホルダー部２０とカバー部４０との間に有するスペースが広いので、よりスムーズに回転することができ、モバイル電子機器の表示部を覆うカバーの開閉を、より素早く行うことができる。さらに、図９を参照して後述する第１の端子部５１を設けても、カバー開閉のスムーズさが損なわれ難い。詳細は、後述する。
【００９３】
（実施形態３）
図８を参照して、本発明による実施形態３のモバイル電子機器用ケース１００Ｃを説明する。図８は、モバイル電子機器用ケース１００Ｃを模式的に示す図である。
【００９４】
図８に示すように、モバイル電子機器用ケース１００Ｃは、カバー４２上に設けられた太陽電池モジュール４６をさらに有する。太陽電池モジュール４６は、第１の状態と、第２の状態とのそれぞれにおいて露出される。太陽電池モジュール４６は、例えば、カバー４２の外面に設けられる。
【００９５】
モバイル電子機器用ケース１００Ｃは、太陽電池モジュール４６をさらに有する点において、上述した実施形態１または実施形態２のモバイル電子機器用ケースと異なる。モバイル電子機器用ケース１００Ｃは、太陽電池モジュール４６をさらに有する点を除いて、他の実施形態のモバイル電子機器用ケースと同じであってよい。
【００９６】
モバイル電子機器用ケース１００Ｃにおいて、カバー部４０は、ホルダー部２０に対して、トラック４４に沿ってスライドし、回転軸２２ｒを中心に回転する。モバイル電子機器用ケース１００Ｃは、他の実施形態のモバイル電子機器用ケースと同様に、モバイル電子機器の表示部を覆うカバーの開閉をコンパクトにかつ素早くできる。モバイル電子機器用ケース１００Ｃは、上記の問題１を解決することができる。
【００９７】
モバイル電子機器用ケース１００Ｃにおいて、太陽電池モジュール４６は、表示面１０ｄがカバー４２に覆われている第１の状態および表示面１０ｄの反対側の背面１０ｂ（図１０参照）がカバー４２に覆われている第２の状態において露出するので、モバイル電子機器を使用している場合も使用していない場合も、モバイル電子機器を充電することができる。モバイル電子機器用ケース１００Ｃは、上記の問題２も解決することができる。
【００９８】
モバイル電子機器用ケース１００Ｃは、ユーザーが充電と放電を切り替えることなく、自動的に充電と放電を行う。モバイル電子機器用ケース１００Ｃは、ユーザーが充電と放電を切り替えるための例えばスイッチやボタン等を有しないので、ユーザーは充電のタイミングを意識せずに、モバイル電子機器を使用することができる。充電のためのケーブルや接続機器も必要ない。モバイル電子機器の中でも、例えば電子書籍端末、電子辞書や電子ノート等、ユーザーによっては使用頻度が比較的低いものは、一度使用してから次に使用するまでの時間が長いことがある。このようなモバイル電子機器を使おうとする数少ない機会が訪れたときに、使用前に充電が必要であると、ユーザーにとってストレスが大きく、その電子機器を使用する機会がさらに減ることにもなりかねない。
【００９９】
モバイル電子機器は典型的には蓄電池（二次電池）を有する。蓄電池としては、例えば、メモリー効果の無い、リチウムイオン電池が好適に用いられている。蓄電池の寿命は、過充電や過放電によって短くなり得ることが知られているが、本実施形態のモバイル電子機器用ケースによって常に充電していれば、蓄電池の過放電を防ぐことができる。電子書籍端末、電子辞書や電子ノート等のモバイル電子機器は、一度の使用で消費される電力が多くないので、ユーザーは使用の度に充電しない。一方、充電の頻度が少ないので、充電し忘れることがある。また、当該モバイル電子機器に適応するケーブル等を探すはめになる。本実施形態のモバイル電子機器用ケースを装着しておけば、使用の度に、その都度消費した電力を常に補充しながら、モバイル電子機器を使用することができる。従って、ユーザーは充電のための特別な操作から解放される。
【０１００】
太陽電池モジュール４６は、公知の太陽電池を含んでよい。例えば、シリコン系（例えばポリシリコン太陽電池）、化合物系または有機系の太陽電池を含む。太陽電池モジュール４６は、例えば、有機系の太陽電池として、色素増感太陽電池を含んでもよい。
【０１０１】
図９を参照して、太陽電池モジュール４６とモバイル電子機器１０とを電気的に接続する方法について説明する。図９左上は、モバイル電子機器用ケース１００Ｃのカバー部４０をｚ２軸方向から見た模式的な平面図であり、図９右上は、モバイル電子機器用ケース１００Ｃのカバー部４０を−ｚ２軸方向から見た模式的な平面図であり、図９左下は、モバイル電子機器用ケース１００Ｃのホルダー部２０をｚ１軸方向から見た模式的な平面図であり、図９右下は、モバイル電子機器用ケース１００Ｃのホルダー部２０を−ｚ１軸方向から見た模式的な平面図である。図９左上は、カバー部４０のｘ２‐ｙ２面に平行な面のうち、太陽電池モジュール４６が設けられた面（すなわち、カバー４２の外面４２ａ）を表し、図９右上は、カバー部４０のｘ２‐ｙ２面に平行な面のうち、太陽電池モジュール４６が設けられた面の裏面（すなわち、カバー４２の内面４２ｂ）を表す。図９左下は、ホルダー部２０を表示面１０ｄ側から見た平面図であり、図９右下は、ホルダー部２０を背面１０ｂ側から見た平面図である。
【０１０２】
モバイル電子機器用ケース１００Ｃは、例えば、太陽電池モジュール４６と電気的に接続された第１の端子部５１と、ホルダー部２０に保持されたモバイル電子機器１０と電気的に接続される第２の端子部５２および第３の端子部５３とをさらに有する。第２の端子部５２は、第１の状態において第１の端子部５１と電気的に接続され、第３の端子部５３は、第２の状態において第１の端子部５１と電気的に接続される。
【０１０３】
図９に例示するように、第１の端子部５１は、例えば、カバー部４０に設けられ、第２の端子部５２および第３の端子部５３は、例えば、ホルダー部２０に設けられる。図９に例示するように、第１の端子部５１は、カバー４２の内面４２ｂに設けられる。ホルダー部２０は、例えば、ｘ１‐ｙ１面に平行に設けられ、モバイル電子機器１０の表示面１０ｄのうち表示部以外の部分を覆う正面部材２０ａをさらに有する。第２の端子部５２は、正面部材２０ａに設けられてもよい。第３の端子部５３は、ホルダー部２０の背面部材２０ｂに設けられてもよい。第１の状態および第２の状態のいずれにおいても、太陽電池モジュール４６を有するカバー４２の外面４２ａは、ホルダー部２０に覆われることがないので、太陽電池モジュール４６は露出される。第１の状態において、第１の端子部５１は、例えば第２の端子部５２と直接接触することで第２の端子部５２と電気的に接続され、第２の状態において、第１の端子部５１は、例えば第２の端子部５３と直接接触することで第３の端子部５３と電気的に接続される。
【０１０４】
第１の端子部５１は、典型的にはカバー４２の内面４２ｂに対して凸形状であるので、ホルダー部２０をカバー部４０に対して回転させるときに、ホルダー部２０とカバー部４０との間に有するスペースが広いことが好ましい。第１の端子部５１がホルダー部２０に接触することなく、カバー部４０をホルダー部２０に対して回転できるスペースを有することが好ましい。より広いスペースを有すると、よりスムーズに回転することができる。例えば、ホルダー部２０は、図５および図７を参照して説明した構造を有することが好ましい。
【０１０５】
上記のような端子を有すると、第１の状態と第２の状態との間の遷移過程においては、太陽電池モジュール４６とモバイル電子機器１０とは電気的に接続されず、モバイル電子機器１０またはモバイル電子機器が有する蓄電池の充電が行われない。ただし、第１の状態と第２の状態との間の遷移過程は短い時間であり、モバイル電子機器用ケース１００Ｃを装着したモバイル電子機器１０は、ほとんどの時間において第１の状態または第２の状態をとるので、充電効率に与える影響はほとんどない。
【０１０６】
カバー部４０は、さらに蓄電素子（不図示）を有してもよい。蓄電素子は、例えば、蓄電池（２次電池）、キャパシターを含む。例えば、太陽電池モジュール４６から、蓄電素子を介して、モバイル電子機器（またはモバイル電子機器が有する蓄電池）が充電されるように接続されている。カバー部４０が蓄電素子を有すると、第１の状態と第２の状態との間の遷移過程においても太陽電池モジュール４６から蓄電素子への充電を行い続けることができるので、太陽電池モジュール４６によって発電された電力を効率よく用いることができる。
【０１０７】
カバー４２上に設ける太陽電池モジュール４６の位置および大きさは任意であってよい。モバイル電子機器用ケース１００Ｃを（例えば第２の状態で）手に持って使用したときに、手で太陽電池モジュール４６を覆わないように、太陽電池モジュール４６の位置および／または大きさを調整してもよい。太陽電池モジュール４６の少なくとも一部が例えば手で覆われると、太陽電池モジュール４６の手で覆われた部分に入射される太陽光の量が減少する。例えば、太陽電池モジュール４６が直列に接続された複数の太陽電池セルで構成されていると、太陽電池セルのうち入射光が少ない太陽電池セルの出力電流が低下することにより、太陽電池モジュール４６全体としての出力電流が低下する。例えば、太陽電池モジュール４６が並列に接続された複数の太陽電池セルで構成されていると、太陽電池セルのうち入射光が少ない太陽電池セルの出力電圧が低下することにより、太陽電池モジュール４６全体としての出力電圧が低下する。このように、太陽電池モジュール４６の少なくとも一部が例えば手で覆われると、太陽電池モジュール４６の出力電圧および／または出力電流が低下し得る。太陽電池モジュール４６の位置および／または大きさを調整することで、これを防ぐことができる。
【０１０８】
例えば図９の左上に示すように、カバー４０部のｘ２‐ｙ２面内において、ｘ２軸方向の中央からずらした位置に太陽電池モジュール４６を設けてもよい。図９の左上に示す例は、図中の下側を手で持つことを想定している。例えば、カバー部４０をｚ２軸方向から見たとき、ｘ２軸方向において、太陽電池モジュール４６を有しない範囲は、カバー部４０のｘ２軸方向の長さのうち２０％以上である。これに限られず、上側または左右のどちらかにスペースを設けて、太陽電池モジュール４６を設けてもよい。例えば、カバー部４０をｚ２軸方向から見たとき、太陽電池モジュール４６の面積は、カバー４２の面積の８０％以下である。
【０１０９】
太陽電池モジュール４６とモバイル電子機器１０とを電気的に接続する方法は、上記の例に限られない。図１０を参照して、実施形態３のモバイル電子機器用ケース１００Ｃ１を説明する。図１０は、モバイル電子機器用ケース１００Ｃ１を模式的に示す図である。
【０１１０】
モバイル電子機器用ケース１００Ｃ１は、トラック４４が導電性を有し、かつ、第１の端子部５１を兼ね、凸部２２または嵌合部２３が導電性を有し、かつ、第２の端子部５２および第３の端子部５３を兼ねる点において、モバイル電子機器用ケース１００Ｃと異なる。モバイル電子機器用ケース１００Ｃ１は、第１から第３の端子部を除いて、モバイル電子機器用ケース１００Ｃと同じであってもよい。
【０１１１】
図１０に示すように、トラック４４は、例えばｚ２軸方向に貫通している。トラック４４は、例えば、レールである。トラック４４は、ｚ２軸方向に貫通していなくてもよい。レールであるトラック４４に覆いを設けてもよい。例えば、第１の端子部５１を兼ねるトラック４４と、第２および第３の端子部５２、５３を兼ねる凸部２２または嵌合部２３との間に異物が付着することにより、充電回路が開放状態となることを防ぐ観点から、第１の端子部５１を兼ねるトラック４４は露出していないことが好ましい。
【０１１２】
図１１に、モバイル電子機器用ケース１００Ｃ１における、第１から第３の端子部の構成の一例を示す。図１１は、モバイル電子機器用ケース１００Ｃ１のホルダー部２０およびカバー部４０のｘ２‐ｚ２面に平行な面における断面図の例である。図１１は、凸部２２およびトラック４４の周辺を拡大して示している。図１１に示すように、トラック４４内部に設けられた第１の端子部５１と、嵌合部２３に設けられた端子部（第２の端子部５２および第３の端子部５３を兼ねる）とが直接接触することにより、太陽電池モジュール４６とモバイル電子機器１０とが電気的に接続される。モバイル電子機器用ケース１００Ｃ１においては、第１の状態および第２の状態に限られず、両状態間の遷移過程においても、これらの端子が接触することができる。従って、第１の状態および第２の状態に限られず、モバイル電子機器１０を充電することができる。例えば、トラック４４内部に弾性体４４ｓを設けることで、端子間の電気的接続（接触）を良くすることができる。
【０１１３】
（実施形態４）
図１２を参照して、本発明による実施形態４のモバイル電子機器用ケース１００Ｄを説明する。図１２は、モバイル電子機器用ケース１００Ｄを模式的に示す図である。
【０１１４】
モバイル電子機器用ケース１００Ｄは、ｚ１軸とｚ２軸との間の角度を、予め決められた角度で固定することができる角度調節部６０をさらに有する。角度調節部６０は、例えばスタンド６０ａである。モバイル電子機器用ケース１００Ｄは、角度調整部６０をさらに有する点において、上述した実施形態１、実施形態２または実施形態３のモバイル電子機器用ケースと異なる。モバイル電子機器用ケース１００Ｄは、角度調整部６０をさらに有する点を除いて、他の実施形態のモバイル電子機器用ケースと同じであってよい。
【０１１５】
モバイル電子機器用ケース１００Ｄにおいて、カバー部４０は、ホルダー部２０に対して、トラック４４に沿ってスライドし、回転軸２２ｒを中心に回転する。モバイル電子機器用ケース１００Ｄは、他の実施形態のモバイル電子機器用ケースと同様に、モバイル電子機器の表示部を覆うカバーの開閉をコンパクトにかつ素早くできる。モバイル電子機器用ケース１００Ｄは、上記の問題１を解決することができる。
【０１１６】
モバイル電子機器用ケース１００Ｄは、角度調整部６０を有するので、モバイル電子機器を手で持たずに、机の上等に置いて使用することができる。また、卓上に置いて使用する場合に、ユーザーが表示面を見やすい角度で使用することができる。
【０１１７】
モバイル電子機器用ケース１００Ｄが太陽電池モジュール４６を有する場合には、角度調整部６０によって、太陽電池モジュール４６に太陽光または照明光が入射しやすい角度に固定することもできる。これにより、太陽電池の出力電力（出力電圧と出力電流との積）が上昇し得る。角度調整部６０は、複数の予め決められた角度から１の角度を選択できる構造であってもよい。上述したように、太陽電池モジュール４６の少なくとも一部が例えば手で覆われると、太陽電池モジュール４６を構成する太陽電池セルに入射される太陽光の量が低下し、太陽電池モジュール４６の出力電流および／または出力電圧が低下し得るという問題が生じる。これを防ぐために、角度調整部６０によってｚ１軸とｚ２軸との角度を調整してもよい。角度の調整によってこの問題を解決することができれば、太陽電池モジュール４６の大きさや位置を調整する必要がなくなり、カバー４２上の広い面積に太陽電池モジュール４６を設けることができるので、太陽電池の出力電力が向上し得る。
【０１１８】
図１２に示すように、モバイル電子機器用ケース１００Ｄは、角度調整部６０としてスタンド６０ａを有する。例えば、ホルダー部２０の背面部材２０ｂがスタンド６０ａを有する。例えば、第１の状態および第２の状態においては、スタンド６０ａは背面部材２０ｂに収納され、ｚ１軸とｚ２軸との間の角度を予め決められた角度（例えば０°超１８０°未満の角度）で固定する場合には、図１２に示すように、スタンド６０ａは、カバー部４０とホルダー部２０との間の支柱となる。すなわち、カバー部４０とホルダー部２０とスタンド６０ａとによって、ｚ１軸とｚ２軸との間の角度が決定される。スタンド６０ａとしては、図示したものに限られず、公知のものを用いてもよい。
【０１１９】
スタンドの他の例として、スタンド６０ｂを有するモバイル電子機器用ケース１００Ｄ１を図１３に模式的に示す。図１３の上段は、モバイル電子機器用ケース１００Ｄ１をｘ１軸方向から見た平面図の例である。ｘ１軸とｘ２軸とは互いに平行であるので、モバイル電子機器用ケース１００Ｄ１をｘ１軸方向から見た平面図は、モバイル電子機器用ケース１００Ｄ１をｘ２軸方向から見た平面図と一致する。図１３においては、カバー部４０に太陽電池モジュール４６が設けられているが、モバイル電子機器用ケース１００Ｄ１は、太陽電池モジュール４６を有しなくてもよい。
【０１２０】
図１３の左上および右上において、モバイル電子機器用ケース１００Ｄ１は、ｚ１軸とｚ２軸との間の角度が互いに異なる。図１３の左上および右上に示すように、スタンド６０ｂによって、ｚ１軸とｚ２軸との間の角度は、複数の予め決められた角度に設定することができる。図１３の下段に、カバー４２の内面４２ｂの一例を示す。例えば図１３の左下に示すように、カバー部４０は、カバー４２の内面４２ｂに、ｙ２軸方向に並べられた複数の凹部（または凸部）６１を有する。これらのいずれか一つにホルダー部２０をひっかけて固定する。複数の凹部（または凸部）６１のいずれを選択するかによって、ｚ１軸とｚ２軸との間の角度が決定される。または、図１３の右下に示すように、カバー４２の内面４２ｂにシート状の磁石６２を設け、ホルダー部２０のｙ２軸方向の先端にも磁石（不図示）を設け、これらの磁石でホルダー部２０を固定してもよい。この場合、ｚ１軸とｚ２軸との間の角度を０°超１８０°未満の任意の角度で固定することができ得る。
【０１２１】
図１４を参照して、実施形態４のモバイル電子機器用ケース１００Ｄ２を説明する。図１４は、モバイル電子機器用ケース１００Ｄ２を模式的に示す。
【０１２２】
図１４に示すように、モバイル電子機器用ケース１００Ｄ２において、嵌合部２３は、ｘ１軸方向から見たとき歯車状であり、角度調節部６０を兼ねる。モバイル電子機器用ケース１００Ｄ２において、例えばトラック４４内に歯車状の嵌合部２３とかみ合う凸部が設けられていることで、ｚ１軸とｚ２軸との間の角度を予め決められた角度に固定することができる。
【０１２３】
実施形態４のモバイル電子機器用ケースは上述した例に限られず、角度調整部として種々の機構を取り得る。
【０１２４】
本明細書は以下の項目１〜２４に記載のモバイル電子機器用ケースを開示している。
［項目１］
モバイル電子機器を保持するホルダー部と、モバイル電子機器の表示面を覆うシート状のカバーを含むカバー部とを備えるモバイル電子機器用ケースであって、
前記ホルダー部において、前記ホルダー部に保持されるモバイル電子機器の前記表示面と直交しかつ前記表示面から離れる方向をｚ１軸とし、前記ｚ１軸と直交かつ前記表示面の一辺に平行な方向をｙ１軸とし、前記ｙ１軸および前記ｚ１軸に直交する方向をｘ１軸としたｘ１ｙ１ｚ１直交座標系をとり、前記カバー部において、前記ｘ１軸と一致する方向をｘ２軸とし、前記ｘ２軸および前記カバーと直交しかつ前記カバーの内面から離れる方向をｚ２軸とし、前記ｘ２軸および前記ｚ２軸に直交する方向をｙ２軸としたｘ２ｙ２ｚ２直交座標系をとったとき、
前記表示面が前記カバーに覆われている第１の状態において、ｚ１軸は−ｚ２軸と一致し、
前記ホルダー部は、ｙ１‐ｚ１面に平行に設けられた一対の側面部材と、前記一対の側面部材のそれぞれに設けられ、ｘ１軸方向の回転軸を規定する凸部とを有し、
前記カバー部は、ｙ２‐ｚ２面に平行に設けられた一対の横枠部材と、前記一対の横枠部材のそれぞれに設けられ、ｙ２軸方向に伸びる間隙を画定し、かつ、前記凸部を受容するトラックとを有する、モバイル電子機器用ケース。
項目１のモバイル電子機器用ケースは、モバイル電子機器の表示部を覆うカバーの開閉をコンパクトにかつ素早くできる。
［項目２］
前記表示面と反対側の背面が前記カバーに覆われている第２の状態において、ｚ１軸はｚ２軸と一致する、項目１に記載のモバイル電子機器用ケース。
［項目３］
前記カバー部は、凹状の溝である前記トラックを有し、前記間隙はｘ２軸方向に貫通しない、項目１または２に記載のモバイル電子機器用ケース。
［項目４］
前記一対の横枠部材は略楕円形状のレールを含み、前記間隙はｘ２軸方向に貫通している、項目１または２に記載のモバイル電子機器用ケース。
［項目５］
前記カバー部のｙ２軸方向の長さは、前記カバー部のｘ２軸方向の長さよりも短い、項目１から４のいずれかに記載のモバイル電子機器用ケース。
項目５のモバイル電子機器用ケースは、カバー部のｙ２軸方向の長さが短いことで、モバイル電子機器の表示部を覆うカバーの開閉をコンパクトにかつ素早くできるという効果を大きくできる。
［項目６］
前記カバー部のｙ２軸方向の長さは、前記カバー部のｘ２軸方向の長さよりも長い、項目１から４のいずれかに記載のモバイル電子機器用ケース。
［項目７］
前記ホルダー部は、ｘ１‐ｙ１面に平行に設けられ、前記背面を覆う背面部材をさらに有する、項目１から６のいずれかに記載のモバイル電子機器用ケース。
［項目８］
前記一対の側面部材のそれぞれのｙ１‐ｚ１面内において、ｙ１座標が、前記回転軸と、前記ホルダー部のｙ１軸方向における端および−ｙ１軸方向における端のうち前記回転軸から近い一の端との間である点は、前記回転軸からの距離が、前記ホルダー部のｚ１軸方向における長さの半分以下である、項目１から７のいずれかに記載のモバイル電子機器用ケース。
［項目９］
前記ホルダー部をｘ１軸方向から見たとき、前記回転軸は、前記ホルダー部に保持されたモバイル電子機器と重なり、前記一対の側面部材のそれぞれにおいて、前記凸部のｙ１軸方向における端または前記凸部の−ｙ１軸方向における端は、前記ホルダー部の前記一の端と一致している、項目８に記載のモバイル電子機器用ケース。
［項目１０］
前記ホルダー部をｘ１軸方向から見たとき、前記回転軸は、前記ホルダー部に保持されたモバイル電子機器と重ならない、項目８に記載のモバイル電子機器用ケース。
項目１０のモバイル電子機器用ケースは、ホルダー部をカバー部に対して回転させるときに、ホルダー部とカバー部との間のスペースが広いので、よりスムーズに回転することができ、モバイル電子機器の表示部を覆うカバーの開閉を、より素早く行うことができる。
［項目１１］
前記凸部は、幹部と、前記トラックに嵌合される嵌合部と有し、前記嵌合部のｙ１‐ｚ１面に平行な断面の面積は、前記幹部のｙ１‐ｚ１面に平行な断面の面積よりも大きい、項目１から１０のいずれかに記載のモバイル電子機器用ケース。
項目１１のモバイル電子機器用ケースは、凸部がトラックからはずれることを防ぐことができるので、ホルダー部は、カバー部に対して、よりスムーズにスライドすることができる。従って、モバイル電子機器の表示部を覆うカバーの開閉を、より素早く行うことができる。
［項目１２］
前記嵌合部のｚ１軸方向の長さは、前記間隙のｚ２軸方向の長さと略一致する、項目１から１１のいずれかに記載のモバイル電子機器用ケース。
［項目１３］
前記ホルダー部をｘ１軸方向から見たとき、前記回転軸は、前記ホルダー部に保持されたモバイル電子機器と重なり、前記一対の側面部材のそれぞれにおいて、前記嵌合部のｙ１軸方向における端または前記嵌合部の−ｙ１軸方向における端が、前記ホルダー部の前記一の端よりも外側にある、項目１１または１２に記載のモバイル電子機器用ケース。
［項目１４］
前記カバー上に設けられた太陽電池モジュールであって、前記第１の状態と、前記第２の状態とのそれぞれにおいて露出される太陽電池モジュールをさらに有する、項目２から１３のいずれかに記載のモバイル電子機器用ケース。
項目１４のモバイル電子機器用ケースは、モバイル電子機器を使用している場合も使用していない場合も、モバイル電子機器を充電することができる。
［項目１５］
前記太陽電池モジュールは、色素増感太陽電池を含む、項目１４に記載のモバイル電子機器用ケース。
［項目１６］
前記カバー部をｚ２軸方向から見たとき、ｘ２軸方向において、前記太陽電池モジュールを有しない範囲は、前記カバー部のｘ２軸方向の長さのうち２０％以上である、項目１４または１５に記載のモバイル電子機器用ケース。
［項目１７］
前記カバー部をｚ２軸方向から見たとき、前記太陽電池モジュールの面積は、前記カバーの面積の８０％以下である、項目１４から１６のいずれかに記載のモバイル電子機器用ケース。
［項目１８］
前記カバー部に設けられ、前記太陽電池モジュールと電気的に接続された第１の端子部と、
前記ホルダー部に設けられ、前記ホルダー部に保持されたモバイル電子機器と電気的に接続される第２の端子部および第３の端子部であって、前記第１の状態において前記第１の端子部と電気的に接続される第２の端子部および前記第２の状態において前記第１の端子部と電気的に接続される第３の端子部とをさらに有する、項目１４から１７のいずれかに記載のモバイル電子機器用ケース。
［項目１９］
前記第１の端子部は、前記カバーの外面に設けられ、
前記第２の端子部は、前記ホルダー部が有するｘ１‐ｙ１面に平行な面部材のうち、前記表示面側の面部材に設けられ、
前記第３の端子部は、前記ホルダー部が有するｘ１‐ｙ１面に平行な面部材のうち、前記背面側の面部材に設けられた、項目１８に記載のモバイル電子機器用ケース。
［項目２０］
前記トラックが導電性を有し、かつ、前記第１の端子部を兼ね、
前記凸部が導電性を有し、かつ、前記第２の端子部および前記第３の端子部を兼ねる、項目１８に記載のモバイル電子機器用ケース。
［項目２１］
ｚ１軸とｚ２軸との間の角度を、予め決められた角度で固定することができる角度調節部をさらに有する、項目１から２０のいずれかに記載のモバイル電子機器用ケース。
［項目２２］
前記予め決められた角度は、０°超１８０°未満の任意の角度である、項目２１に記載のモバイル電子機器用ケース。
［項目２３］
前記角度調整部は、前記ホルダー部に設けられ、前記予め決められた角度における前記カバー部と前記ホルダー部との間の支柱となる、項目２１または２２に記載のモバイル電子機器用ケース。
［項目２４］
前記嵌合部は、ｘ１軸方向から見たとき歯車状であり、前記角度調節部を兼ねる、項目１１を引用する項目２１に記載のモバイル電子機器用ケース。
【産業上の利用可能性】
【０１２５】
本発明は、携帯電話、スマートフォン、タブレットＰＣ、携帯ゲーム機、音楽プレイヤー、電子書籍端末、電子辞書、電子ノート等に代表されるモバイル電子機器用ケースとして、広く利用できる。
【符号の説明】
【０１２６】
１０    モバイル電子機器
１０ｄ    表示面
２０    ホルダー部
２０ｘ  ｙ１‐ｚ１面に平行に設けられた一対の側面部材（第１の側面部材）
２０ｙ  ｘ１‐ｚ１面に平行に設けられた一対の側面部材（第２の側面部材）
２１    幹部
２２    凸部
２２ｒ  回転軸
２３    嵌合部
４０    カバー部
４０ｘ  ｙ２‐ｚ２面に平行に設けられた一対の横枠部材
４２    カバー
４４    トラック
４６    太陽電池モジュール
５１    第１の端子部
５２    第２の端子部
５３    第３の端子部
６０    角度調整部
１００Ａ、１００Ａ１、１００Ｂ、１００Ｃ、１００Ｃ１、１００Ｄ、１００Ｄ１、１００Ｄ２、９００  モバイル電子機器用ケース
【図１】
2016181662.tif 000003
【図２】
2016181662.tif 000004
【図３】
2016181662.tif 000005
【図４】
2016181662.tif 000006
【図５】
2016181662.tif 000007
【図６】
2016181662.tif 000008
【図７】
2016181662.tif 000009
【図８】
2016181662.tif 000010
【図９】
2016181662.tif 000011
【図１０】
2016181662.tif 000012
【図１１】
2016181662.tif 000013
【図１２】
2016181662.tif 000014
【図１３】
2016181662.tif 000015
【図１４】
2016181662.tif 000016
【図１５】
2016181662.tif 000017
【図１６】
2016181662.tif 000018
【図１７】
2016181662.tif 000019